【手続補正書】
【提出日】平成19年9月18日(2007.9.18)
【手続補正１】
【補正対象書類名】明細書
【補正対象項目名】発明の名称
【補正方法】変更
【補正の内容】
【発明の名称】送信装置、受信装置および無線通信システム
【手続補正２】
【補正対象書類名】明細書
【補正対象項目名】特許請求の範囲
【補正方法】変更
【補正の内容】
【特許請求の範囲】
【請求項１】  受信したパイロット信号の受信品質を測定する測定手段と、
前記受信品質を示す情報を符号化する符号化手段と、
符号化した前記情報を送信する送信手段と、を具備し、
前記情報は複数のビットから構成されており、
前記符号化手段は、前記複数のビットのうち、上位のビットが誤りにくくなるように前記情報を符号化する、
送信装置。
【請求項２】  前記符号化手段は、前記複数のビットのうち、受信品質が良いことを示すビットが誤りにくくなるように前記情報を符号化する、
請求項１記載の送信装置。
【請求項３】 前記情報は、前記受信品質に基づいて設定される変調方式と伝送レートを示す、
請求項１または２に記載の送信装置。
【請求項４】  パイロット信号を送信する送信手段と、
前記パイロット信号の受信品質を示す情報を受信する受信手段と、を具備し、
前記情報は複数のビットから構成されており、当該複数のビットのうち、上位のビットが誤りにくくなるように符号化されている、
受信装置。
【請求項５】  受信した前記情報に基づいてスケジューリングを行うスケジューリング手段、をさらに具備する、
請求項４記載の送信装置。
【請求項６】 前記情報は、前記受信品質に基づいて設定される変調方式と伝送レートを示し、
受信した前記情報に基いて変調方式と伝送レートを制御する制御手段、をさらに具備する、
請求項４または５に記載の送信装置。
【請求項７】  受信したパイロット信号の受信品質を測定し、前記受信品質を示す情報を符号化し、符号化した前記情報を送信する送信装置と、
前記パイロット信号を送信し、前記パイロット信号の受信品質を示す情報を受信する受信装置と、を具備し、
前記情報は複数のビットから構成されており、
前記送信装置は、前記複数のビットのうち、上位のビットが誤りにくくなるように前記情報を符号化する、
無線通信システム。
【手続補正３】
【補正対象書類名】明細書
【補正対象項目名】０００１
【補正方法】変更
【補正の内容】
【０００１】
【発明の属する技術分野】
本発明は、セルラー通信システムに用いられる送信装置、受信装置および無線通信システムに関する。
【手続補正４】
【補正対象書類名】明細書
【補正対象項目名】００１２
【補正方法】変更
【補正の内容】
【００１２】
本発明はかかる点に鑑みてなされたものであり、下り回線の回線品質に基づいて各通信端末に通信リソースが割り振られる通信システムにおいて、下り回線のスループットの低下を防止することができる送信装置、受信装置および無線通信システムを提供することを目的とする。
【手続補正５】
【補正対象書類名】明細書
【補正対象項目名】００１３
【補正方法】変更
【補正の内容】
【００１３】
【課題を解決するための手段】
本発明の送信装置は、受信したパイロット信号の受信品質を測定する測定手段と、前記受信品質を示す情報を符号化する符号化手段と、符号化した前記情報を送信する送信手段と、を具備し、前記情報は複数のビットから構成されており、前記符号化手段は、前記複数のビットのうち、上位のビットが誤りにくくなるように前記情報を符号化する構成を採る。
【手続補正６】
【補正対象書類名】明細書
【補正対象項目名】００１４
【補正方法】変更
【補正の内容】
【００１４】
この構成によれば、受信品質を示す情報のうち、上位のビットが誤りにくくなるため、回線のスループットの低下を防止することができる。
【手続補正７】
【補正対象書類名】明細書
【補正対象項目名】００１５
【補正方法】変更
【補正の内容】
【００１５】
本発明の受信装置は、パイロット信号を送信する送信手段と、前記パイロット信号の受信品質を示す情報を受信する受信手段と、を具備し、前記情報は複数のビットから構成されており、当該複数のビットのうち、上位のビットが誤りにくくなるように符号化されている構成を採る。
【手続補正８】
【補正対象書類名】明細書
【補正対象項目名】００１６
【補正方法】変更
【補正の内容】
【００１６】
この構成によれば、受信品質を示す情報のうち、上位のビットが誤りにくくなるため、回線のスループットの低下を防止することができる。
【手続補正９】
【補正対象書類名】明細書
【補正対象項目名】００１７
【補正方法】変更
【補正の内容】
【００１７】
本発明の無線通信システムは、受信したパイロット信号の受信品質を測定し、前記受信品質を示す情報を符号化し、符号化した前記情報を送信する送信装置と、前記パイロット信号を送信し、前記パイロット信号の受信品質を示す情報を受信する受信装置と、を具備し、前記情報は複数のビットから構成されており、前記送信装置は、前記複数のビットのうち、上位のビットが誤りにくくなるように前記情報を符号化する構成を採る。
【手続補正１０】
【補正対象書類名】明細書
【補正対象項目名】００１８
【補正方法】変更
【補正の内容】
【００１８】
この構成によれば、受信品質を示す情報のうち、上位のビットが誤りにくくなるため、回線のスループットの低下を防止することができる。
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】削除
【補正の内容】
【手続補正２７】
【補正対象書類名】明細書
【補正対象項目名】００３５
【補正方法】削除
【補正の内容】
【手続補正２８】
【補正対象書類名】明細書
【補正対象項目名】００３６
【補正方法】削除
【補正の内容】
【手続補正２９】
【補正対象書類名】明細書
【補正対象項目名】００３７
【補正方法】削除
【補正の内容】
【手続補正３０】
【補正対象書類名】明細書
【補正対象項目名】００３８
【補正方法】削除
【補正の内容】
【手続補正３１】
【補正対象書類名】明細書
【補正対象項目名】００３９
【補正方法】削除
【補正の内容】
【手続補正３２】
【補正対象書類名】明細書
【補正対象項目名】００４０
【補正方法】削除
【補正の内容】
【手続補正３３】
【補正対象書類名】明細書
【補正対象項目名】００４１
【補正方法】削除
【補正の内容】
【手続補正３４】
【補正対象書類名】明細書
【補正対象項目名】００４２
【補正方法】削除
【補正の内容】
【手続補正３５】
【補正対象書類名】明細書
【補正対象項目名】００４３
【補正方法】削除
【補正の内容】
【手続補正３６】
【補正対象書類名】明細書
【補正対象項目名】００４４
【補正方法】削除
【補正の内容】
【手続補正３７】
【補正対象書類名】明細書
【補正対象項目名】００４５
【補正方法】削除
【補正の内容】
【手続補正３８】
【補正対象書類名】明細書
【補正対象項目名】００４６
【補正方法】削除
【補正の内容】
【手続補正３９】
【補正対象書類名】明細書
【補正対象項目名】００４７
【補正方法】削除
【補正の内容】
【手続補正４０】
【補正対象書類名】明細書
【補正対象項目名】００４８
【補正方法】削除
【補正の内容】
【手続補正４１】
【補正対象書類名】明細書
【補正対象項目名】００４９
【補正方法】削除
【補正の内容】